(57)【特許請求の範囲】
【請求項１】
第１表示手段と第２表示手段とが隣接して設けられた基板ユニットが筐体ユニットに嵌合保持される構造を有する電気機器において、基板ユニットに実装される前記第１表示手段に隣接して設けられた前記第２表示手段から前記第１表示手段側に漏れる光を遮光するために、
一端が前記基板ユニットに固定される固定端とされるとともに他端が自由端とされた板状の部材で構成され、前記固定端と自由端との間に断面形状が略く字状となる折り目部分からなる折り曲げ部が設けられ、この折り曲げ部によって前記自由端に復元力が付与されるとともに、内側の折り目部分が前記固定端を前記第１表示手段に固定する際に前記第１表示手段の側壁上端縁に当接されることによって固定端の位置決めに供される位置決め部を構成してなり、かつ、前記固定端には接着層が両面に形成された両面テープが備えられて、この両面テープによって前記固定端が前記第１表示手段の側壁に接着固定され、
前記筐体ユニットの背面部に前記基板ユニットを嵌合させたときに前記自由端が前記復元力によって前記筐体ユニットの背面部に当接されて前記筐体ユニットの背面部と前記基板ユニットとの隙間を遮光する遮光部材を備えている
ことを特徴とする電気機器。
【請求項２】
前記遮光部材は、少なくとも前記自由端が遮光性を有するように構成されていることを特徴とする請求項１に記載の電気機器。
【請求項３】
前記遮光部材は、絶縁性を有するように構成されていることをと特徴とする請求項１または２に記載の電気機器。
【請求項４】
前記遮光部材は、樹脂の一体成形品で構成されていることを特徴とする請求項１から３のいずれかに記載の電気機器。
【発明の詳細な説明】
【技術分野】
【０００１】
この発明は電気機器に関し、より詳細には、基板ユニットが筐体ユニットに嵌合保持される構造を有する電気機器において、筐体ユニットと基板ユニットとの隙間を遮光するために用いる遮光部材を用いた電気機器に関する。
【背景技術】
【０００２】
近年、家庭用のコージェネレーションシステムとして、ガスエンジンや燃料電池などで発電を行なうとともに、その際に発生する排熱を回収して温水を生成して給湯に利用する発電機能付きの給湯システムが提供されている。
【０００３】
ところで、この種の給湯システムにおいては、発電中に余剰電力が生じると、余剰電力を利用して電気ヒータを発熱させて貯湯タンク内の温水を加熱等するように構成されているが、電気を効率的に利用するためにはできるだけ余剰電力が生じないように電力を使用（消費）するのが望ましいことから、この種の給湯システムのリモコンの表示部には、給湯運転に関する情報と併せて発電運転に関する情報が表示されている。
【０００４】
ここで、この表示部の発電運転に関する情報の表示としては、単に発電機の状態（発電中か否か）のみを表示させることも考えられるが、それだけでは上述した情報表示の目的を十分に果たすことができないことから、発電中か否かの表示だけにとどまらず、たとえば、現在の発電電力量や使用電力量など様々な情報が表示される。そのため、これら発電運転に関する情報を表示する表示部としては、液晶表示パネルや蛍光表示管（ＶＦＤ）などドットマトリクスによって文字（記号、数字を含む）や絵柄（アイコン）の表示が可能な表示デバイスが好適に使用されている。
【特許文献１】特開２００４−７９４５４号公報
【発明の開示】
【発明が解決しようとする課題】
【０００５】
しかしながら、このように文字や絵柄で発電運転に関する情報を表示するように構成した場合には以下の問題があり、その改善が望まれていた。
【０００６】
(1) すなわち、通常、給湯システムのリモコンとしては小型のリモコンが用いられることから、その表示部の画面サイズは小さく、文字や絵柄を使って多くの情報を表示しようとすると自ずと文字や絵柄は小さく表示されるため、離れた位置からでは表示内容が確認しづらいという問題があった。
【０００７】
(2) また、通常の給湯システムにおけるリモコンにおいては、給湯運転スイッチがオフにされたり、或いは給湯待機状態（出湯がない状態）が一定時間継続するなど給湯運転状態が所定の条件を満たすと省電力モードに移行するようにされており、この省電力モードに移行すると、表示部の表示を停止させるなどの省電力制御（たとえば、液晶表示パネルのバックライトを消灯させたり、蛍光表示管の蛍光管を消灯させたり、さらには表示制御用のマイコンをスリープモードにするなど消費電力を抑制する制御）が行われている。しかし、表示部に発電運転に関する情報も表示させる場合、給湯運転が停止していても発電運転が行われていれば表示部の表示を停止させることができないため、省電力モードに移行することができず、表示部の消費電力の低減化を図ることができないという問題があった。
【０００８】
そのため、出願人はこのような問題を解決するために、発電運転に関する情報と給湯運転に関する情報を報知する表示手段を備えた発電機能付きの給湯システムにおいて、上記表示手段として、文字、絵柄又は文字と絵柄の組み合わせにより発電運転に関する情報と給湯運転に関する情報の双方を表示する第１表示手段と、点灯手段の発光態様によって発電運転に関する情報を表示する第２表示手段とを設け、上記第１表示手段は給湯運転状態に基づいて省電力制御を実施するとともに、上記第２表示手段は発電運転状態に基づいて点灯手段の点灯制御を実施するようにした給湯システムのリモコンを提案するに至った。
【０００９】
すなわち、このリモコンでは、たとえば、発電運転に関する情報のうち、現在発電中か否かや発電電力と使用電力のどちらが大きいかなど文字情報によらずに報知できる情報は第２表示手段を構成する点灯手段の発光態様（具体的には、たとえば、点灯手段の輝度、発光色、発光点滅周期、点灯手段を構成する発光素子の発光数又はこれらの組み合わせを状況に合わせて変えること）で表示する一方、現在の発電電力や使用電力など文字（数字）によらなければ報知できない情報は第１表示手段によって文字や絵柄を用いて表示するように構成している。
【００１０】
そして、このリモコンでは、上述したとおり、第１表示手段と第２表示手段とは独立して制御されるので、発電運転中であっても給湯運転状態に基づいて第１表示手段の省電力制御を実行することができる一方、給湯運転中（第１表示手段が表示中）であっても、発電運転状態に基づいて第２表示手段の点灯手段を消灯させることができる。つまり、給湯運転スイッチがオフされた場合などにおいては、第１表示手段の表示を停止させて第１表示手段での電力消費を抑制することができ、その際に発電運転がなされていれば、その状況（少なくとも文字を用いずに表示できる発電運転の概要）は第２表示手段により確認することができる。なお、この第２表示手段は、文字等を表示することなく発光態様によって情報を表示するものであるから、表示制御用のマイコンを必要とする第１表示手段に比べて消費電力が少なく、第１表示手段を省電力制御することによる省エネ効果は十分に期待することができる。
【００１１】
しかし、このような給湯システムのリモコンでは、さらに以下のような問題があることが判明した。
【００１２】
すなわち、この種のリモコンにおいては、基板ユニットが筐体ユニットに嵌合保持される構造を有するところ、上述したように表示手段として、文字、絵柄等により情報を表示する第１表示手段と、点灯手段の発光態様によって情報を表示する第２表示手段とを設ける場合、これらはいずれも基板ユニット上に実装されることになるから、筐体ユニットの背面部と基板ユニットとの間に隙間があると、この隙間を通じて第２表示手段から発せられる光が第１表示手段側に漏れ、第１表示手段の視認性を損ねるという問題が生じる。
【００１３】
ところで、このような光の漏れについての対策としては、たとえば、第１表示手段と第２表示手段との間に遮光板を設けて上記隙間をこの遮光板で遮断することが考えられるが、上述したように、基板ユニットは筐体ユニットに嵌合保持される構造であるため、遮光板を基板ユニットまたは筐体ユニットのいずれの側に設けるにしても、組み立て精度や部品交差等を考慮すると、遮光板には筐体ユニット（または基板ユニット）との間にある程度のクリアランスを設定しておく必要があり、上記隙間を完全に遮断するのは困難であった。
【００１４】
本発明は、このような問題点に鑑みてなされたものであって、その目的とするところは、簡単な作業で筐体ユニットと基板ユニットの隙間を確実に遮光できる遮光部材を用いた電気機器を提供することにある。
【課題を解決するための手段】
【００１５】
上記目的を達成するため、本発明に係る電気機器は、第１表示手段と第２表示手段とが隣接して設けられた基板ユニットが筐体ユニットに嵌合保持される構造を有する電気機器において、基板ユニットに実装される上記第１表示手段に隣接して設けられた上記第２表示手段から上記第１表示手段側に漏れる光を遮光するために、一端が上記基板ユニットに固定される固定端とされるとともに他端が自由端とされた板状の部材で構成され、上記固定端と自由端との間に断面形状が略く字状となる折り目部分からなる折り曲げ部が設けられ、この折り曲げ部によって上記自由端に復元力が付与されるとともに、内側の折り目部分が上記固定端を上記第１表示手段に固定する際に上記第１表示手段の側壁上端縁に当接されることによって固定端の位置決めに供される位置決め部を構成してなり、かつ、上記固定端には接着層が両面に形成された両面テープが備えられて、この両面テープによって上記固定端が上記第１表示手段の側壁に接着固定され、上記筐体ユニットの背面部に上記基板ユニットを嵌合させたときに上記自由端が上記復元力によって上記筐体ユニットの背面部に当接されて上記筐体ユニットの背面部と上記基板ユニットとの隙間を遮光する遮光部材を備えていることを特徴とする。
【００１６】
すなわち、本発明に係る電気機器では、遮光部材の固定端を基板ユニットに固定し、この状態で基板ユニットを筐体ユニットに嵌合させる。これにより、折り曲げ部によって復元力が付与された自由端の先端が筐体ユニットの背面部（裏面）に当接されるとともに、基板ユニットの嵌合に伴って遮光部材の自由端がその復元力に抗して折り曲げられることとなって、自由端の先端が筐体ユニットの背面部と密接し、遮光部材によって筐体ユニットの背面部と基板ユニットとの隙間が遮断される。
【００１７】
つまり、この遮光部材においては、筐体ユニットへの嵌合に伴って復元力に抗して折り曲げられることを予め考慮して自由端の長さを設定しておくことにより、基板ユニットの嵌合によって上記隙間を確実に遮光することができる。
【００１８】
なお、この遮光部材は少なくともその自由端が遮光性を有することにより、上記隙間を確実に遮光することができる。この遮光性の付与にあたっては、遮光部材自体を遮光性を有する材料（有色の材料）で構成することができるのは勿論のこと、遮光部材の表面に遮光性のある膜やシールなどを塗布または接着等することによって遮光性を持たせることも可能である。また、この遮光部材は基板ユニットに取り付けられるものであるので絶縁性を有することが望ましく、この絶縁性の付与にあたっても遮光部材を構成する材料自体に絶縁材料を用いることができるほか、絶縁性の膜やシールを塗布・接着等することにより絶縁性を付与することも可能である。そして、この遮光部材は、樹脂の一体成形品として構成することによって安価に製作することができる。
【００２０】
そのため、本発明に係る電気機器では、遮光部材の固定端を、接着層が両面に形成された両面テープにより第１表示手段の側壁に接着固定することができるので、筐体ユニットの背面部と基板ユニットとの間に生じた隙間を簡単に遮光することができる。
【発明の効果】
【００２３】
本発明によれば、基板ユニットが箱状の筐体ユニットに嵌合保持される構造を有する電気機器において、遮光部材の固定端を基板ユニットに固定した状態で基板ユニットを筐体ユニットに嵌合させるだけで、筐体ユニットの背面部と基板ユニットとの隙間を確実に遮光することができる。
【００２４】
しかも、遮光部材の位置決めは、遮光部材の折り曲げ部を表示器の側壁上端縁に当接させることで容易に行なえるので、組立作業を効率よく迅速に行なうことができる。
【発明を実施するための最良の形態】
【００２５】
以下、本発明の実施形態を図面に基づいて詳細に説明する。
図１に本発明を適用したリモコンの外観構成の一例を示す。このリモコン１は、発電機能と給湯機能（ふろ機能を含む）を有する給湯システムのリモコンであって、図示のように、その正面パネル６ａに表示手段として、発電運転に関する情報と給湯運転に関する情報の双方を表示する第１表示手段２と、発電運転に関する情報を表示する第２表示手段３とが備えられている。
【００２６】
上記正面パネル６ａは、各種電装部品が備えられた基板ユニット４を収容する略箱状の筐体ユニット５の外側に配設された化粧パネルユニット６の一部を構成するもので（図２参照）、この正面パネル６ａには、上記第１及び第２表示手段２，３の他に、複数の操作スイッチ７が備えられている。図示例では、この操作スイッチ７として、給湯待機状態（給湯栓の開栓により温水の出湯が可能な状態）と給湯停止状態（給湯栓が開栓されても温水を出湯しない状態）とに切り替える給湯運転スイッチ７ａと、浴槽への自動湯張りを行わせるふろ自動スイッチ７ｂと、ふろの追い焚きを行わせる追いだきスイッチ７ｃとが設けられている。そして、この正面パネル６ａの下方には、上記化粧パネルユニット６の一部を構成する隠し蓋６ｂが設けられており、この隠し蓋６ｂの内側にも複数の操作スイッチ８が設けられている（操作スイッチ８の詳細は省略する）。
【００２７】
上記第１表示手段２は、図示のように、文字、絵柄又は文字と絵柄の組み合わせにより情報を表示する表示手段であって、この第１表示手段２としては、たとえば、ドットマトリクス方式により文字等を表示する液晶表示パネルや蛍光表示管（ＶＦＤ）等の表示器９が使用される。
【００２８】
図２は、リモコン１における第１表示手段２及び第２表示手段３の内部構造の概要を示す断面図である。この図２に示すように、上記表示器９は筐体ユニット５内に収容される基板ユニット４上に装着されており、上記筐体ユニット５においてこの表示器９の画面に対向する部分には開口部５ａが形成されている。また、それに伴って化粧パネルユニット６（正面パネル６ａ）の対応部位６ｃは透明に形成され、リモコン１の正面から表示器９の表示部が視認できるようにされている。
【００２９】
そして、この第１表示手段２は、上述したように、上記第２表示手段３とともに発電運転に関する情報を表示する表示部を構成しているが、本実施形態では、この第１表示手段２は、上記第２表示手段３による表示を補完する表示部として用いられる。すなわち、後述するように、上記第２表示手段３は発電運転に関する情報を点灯手段の発光態様によって表示するため、第２表示手段３で表示できる情報には自ずと限界がある。そのため、この第１表示手段２は、上記第２表示手段３で表示しきれない情報（具体的には、数値として表現される情報）を含めた発電運転に関する情報が表示される。
【００３０】
より具体的には、この第１表示手段２には、たとえば、発電装置の状態（発電中か否か）の他、発電電力量、使用電力量、発電電力量と使用電力量の比較などの様々な情報が表示される。図１では、これら発電運転に関する情報として、現在発電中であることを示す「発電中」の文字を含んだ絵柄と、使用電力量を示す「使用電力２０．０ｋＷ」の文字が表示された状態を図示しているが、その表示内容は上記操作スイッチ８の所定操作によって適宜変更することができる。
【００３１】
なお、この第１表示手段２には、このような発電運転に関する情報の他にも、給湯運転に関する情報（たとえば、給湯設定温度や貯湯タンク内の湯量など）やその他の情報（たとえば、現在時刻など）も表示されるが、それらについての説明は省略する。
【００３２】
一方、第２表示手段３は、点灯手段（光源部）の発光態様によって発電運転に関する情報を表示する表示手段であって、図示例では、正面パネル６ａの下端縁がこの第２表示手段３として用いられている。
【００３３】
すなわち、上記正面パネル６ａは、その全体が薄板状の樹脂製パネルで構成されており、上述した表示器９（第１表示手段２）の表示部との対向部位６ｃが透明部とされるとともに、その下端縁部が適度に透光性を有するように構成され（具体的には、半透明または透光性を有するように白色などの淡い色の樹脂板で構成され）、筐体ユニット５内に収容された点灯手段（本実施形態では三色発光ダイオード１０）からの光がこの正面パネル６ａの下端縁を透過して外部に現れるように構成されている。
【００３４】
具体的には、正面パネル６ａの下端縁の背面（裏面）には、上記点灯手段を構成する三色発光ダイオード１０から放射される光を上記正面パネル６ａの下端縁の背面（裏面）に導くための導光部材１１が設けられている。より詳細には、この導光部材１１は、図２に示すように、断面略く字形状の透明なブロック体で構成されており、その下端面１１ｂが上記三色発光ダイオード１０に対面するように配置されて光入射面とされ、その上端面１１ａが上記正面パネル下端縁の背面（裏面）に対面するように配置されて光放射面とされている。
【００３５】
そして、点灯手段となる上記三色発光ダイオード１０は、本実施形態では、上記基板ユニット４上において、正面パネル下端縁の長手方向に沿って所定間隔で適当数（具体的には２個）設けられる。そのため、上記導光部材１１は、これら三色発光ダイオード１０を光源とする光が拡散しつつ正面パネル６ａに導かれるように、正面パネル下端縁の略全長にわたる幅寸法を有するように構成されている。
【００３６】
なお、上記導光部材１１の側面（具体的には、筐体ユニット５の内側部分）には、導光部材１１の光入射面に入射した光が筐体ユニット５と基板ユニット４との間の空間に漏れないように遮光シール１２が貼付されている。
【００３７】
ところで、本実施形態において、上記点灯手段として三色発光ダイオード１０を用いているのは、第２表示手段３の発光態様（発色）にできるだけ多くのバリエーションを持たせるためである。したがって、この点灯手段としては三色発光ダイオード以外の発光素子（たとえば、単色の発光ダイオード）を用いることも可能である。
【００３８】
また、この三色発光ダイオード１０を所定間隔で２個設けたのは、上記同様に発光態様にバリエーションを持たせるためである。すなわち、左右に配置した発光ダイオード１０の光りの強さ（輝度）を制御することによって導光部材１１を介して正面パネル６ａを透過する光が、正面パネル６ａの下端縁の略全長にわたる一本の棒状の光となって現れるように表現したり、下端縁の中央付近が暗く両端が明るく現れるように表現したりすることができるようにするためである。したがって、この発光ダイオード１０は、第２表示手段３で表現する発光態様に応じて、少なくとも１個設けられればよく、また適宜２個以上設けることも可能である。
【００３９】
このように、本発明に係るリモコン１の第２表示手段３は、点灯手段の輝度、発光色、さらには発光点滅周期、点灯手段を構成する発光素子の発光数又はこれらの組み合わせによって様々な発光態様を表現できる。
【００４０】
そして、この第２表示手段３において、発電運転の状態をどのような発光態様で表示させるかはリモコン１の制御部（図示せず）を構成するマイコンにあらかじめ設定（初期設定）される。なお、この初期設定はリモコン１のスイッチ操作によってユーザが適宜選択できるようにしておくこともでき、その場合、たとえば、発光ダイオードの輝度を調節したり、発光色の設定を変更したり、点滅周期の長短を変更したりすることができるようにされる。
【００４１】
しかして、このように構成されたリモコン１においては、第１表示手段２の表示器９と第２表示手段３の三色発光ダイオード１０とが隣接して設けられることから、このままでは、図２の矢符に示すように、三色発光ダイオード１０からの光が第１表示手段２側に漏れると、表示中の第１表示手段２の視認性が損なわれたり、第１表示手段２を消灯（表示停止）しているときなどに三色発光ダイオード１０からの光が開口部５ａおよび正面パネル６ａの対応部位６ｃを介して外部に漏れて美観が損ねられたりする。
【００４２】
そのため、本実施形態に示すリモコン１においては、以下に述べる遮光部材１３によって第１表示手段２と第２表示手段３との間、つまり、基板ユニット４の背面部と筐体ユニット５の間の隙間を遮光するようにしている。ここで、図３(a)はこの遮光部材１３の斜視図を、図３(b)はその右側面図をそれぞれ示している。また、図４は、この遮光部材１３を用いた遮光構造を示している。
【００４３】
上記遮光部材１３は、図３に示すように、断面形状が略く字状とされる遮光性を有する薄い板状の部材（たとえば、厚さ０．２ｍｍ程度）で構成される。具体的には、この遮光部材１３は、一端が基板ユニット４に固定される固定端１３ａとされるとともに、他端が筐体ユニット５の背面部に当接される自由端１３ｂとされており、上記固定端１３ａと自由端１３ｂとの間に折り曲げ部１３ｃが形成されており、この折り曲げ部１３ｃによって、上記自由端１３ｂには上方から力が作用したときにその力に抗して元の形に復元しようとする復元力（弾発力）が付与されている。
【００４４】
そして、この遮光部材１３は、少なくとも上記自由端１３ｂが遮光性を有するように構成されており、また、その全体が絶縁性を有するように構成されている。本実施形態では、絶縁性を有する有色（たとえば、白色）の樹脂による一体成形品として構成されている。なお、ここで、遮光性の付与にあたっては、上記のように遮光部材１３自体を遮光性を有する材料（有色の材料）で構成することができるのは勿論のこと、遮光部材１３の表面に遮光性のある膜やシールを塗布または接着等することによって遮光性を持たせるようにしてもよい。さらに、この絶縁性の付与にあたっても、上記のとおり遮光部材１３自体を絶縁材料で構成することができるほか、絶縁性のある膜やシールを塗布・接着等することにより絶縁性を付与してもよい。
【００４５】
しかして、このように構成された遮光部材１３は、図４に示すように、まず、遮光部材１３の固定端１３ａを表示器９の側壁に接着固定する。この接着は、接着層が両面に形成されたいわゆる両面テープを用いて接着するのが作業を迅速に行なう上で好ましいが、両面テープに代えて、たとえば、速乾性の接着剤等を用いることも可能である。
【００４６】
また、この接着時における遮光部材１３の位置決めは、遮光部材１３の折り曲げ部１３ｃによって形成される内側の折り目部分を表示器９の側壁上端縁に当接することにより行なう。つまり、折り目部分を表示器９の側壁上端縁に当てることで、遮光部材１３の位置決めを迅速かつ容易に行なうことができる。
【００４７】
このようにして、固定端１３ａの接着固定が完了すると、次に、基板ユニット４を筐体ユニット５に嵌合する。これにより、折り曲げ部１３ｃによって復元力が付与された自由端１３ｂの先端が、筐体ユニット５の背面部（裏面）に当接されるとともに、基板ユニットの嵌合に伴って自由端１３ｂの先端がその復元力に抗して折り曲げ部１３ｃを起点として折り曲げられることとなって、自由端１３ｂの先端がその復元力によって筐体ユニット５の背面部側に付勢され、自由端１３ｂの先端と筐体ユニット５の背面部とが密接し、遮光部材１３の自由端１３ｂによって筐体ユニット５の背面部と基板ユニット４との隙間が遮断・遮光される。
【００４８】
ここで、この図４から理解できるように、遮光部材４は、基板ユニット４の筐体ユニット５への押し込み（嵌合）に伴って自由端１３ｂが筐体ユニット５側からの圧力で折り曲げられることによって遮光するように構成されているので、遮光部材１３各部の長さ寸法の設定にあたってはこの点を考慮して行なわれる。
【００４９】
すなわち、固定端１３ａの上下方向の寸法Ｌ１は、固定端１３ａを接着する対象（本実施形態では表示器９の側壁上端縁）の高さ寸法よりも短く設定される。これは、この寸法Ｌ１が長すぎると、固定端１３ａの下端縁が基板ユニット４に当たってしまい上述した折り曲げ部１３ｃによる位置決めができなくなるからである。また、自由端１３ｂの上下方向の寸法Ｌ３は、基板ユニット４を筐体ユニット５に完全（正しい位置）に嵌合させたときに、自由端１３ｂの先端が筐体ユニット５の背面部と密着する（つまり、クリアランスが０以下となる）ように設定される。なお、その際本実施形態では、固定端１３ａを接着する対象が表示器９であり、この表示器９の画面に対向する部分には開口部５ａが形成されていることから、基板ユニット４を筐体ユニット５に完全に嵌合させたときに、自由端１３ｂの先端が上記開口部５ａに突出しないように自由端１３ｂの長さ寸法Ｌ２が設定される。
【００５０】
また、この遮光部材１３は、少なくとも上記三色発光ダイオード１０の配設位置に合わせて適宜配設されればよいが、本実施形態では、この遮光部材１３は、上記第２表示手段３の長手方向の寸法に合わせて筐体ユニット５の内側の幅寸法と略同寸に設定されている。つまり、本実施形態では、単一の遮光部材１３によって基板ユニット４と筐体ユニット５との隙間の遮光が行なわれるようにされている。
【００５１】
このように、本発明の遮光部材１３を用いれば、簡単な作業を行なうだけで筐体ユニット５の背面部と基板ユニット４との隙間を確実に遮光することができる。しかも、遮光部材の位置決めは、遮光部材の折り曲げ部を表示器の側壁上端縁に当接させることで容易に行なえるので、組立作業を効率よく迅速に行なうことができる。
【００５２】
なお、上述した実施形態はあくまでも本発明の好適な実施態様を示すものであって、本発明はこれらに限定されることなくその範囲内で種々の設計変更が可能である。  
【００５３】
たとえば、上述した実施形態では、本発明の遮光部材を給湯システムのリモコンに適用した場合を示したが、本発明は電装品が備えられた基板ユニットが筐体ユニットに嵌合保持される構造の電気機器であれば、他の電気機器に対しても適用可能である。
【００５４】
また、上述した実施形態では、遮光部材１３の自由端１３ｂを表示器９側に折り曲げるようにした遮光構造について説明したが、表示器９とは反対側に折り曲げられるようにして使用することも可能である。
【００５５】
さらに、上述した実施形態では、単一の遮光部材１３によりリモコン１の全体の遮光を行なうように構成した場合を示したが、三色発光ダイオード１０の配設位置に応じて複数の遮光部材１３を配設するように構成してもよい。
【００５６】
また、上述した実施形態では、遮光部材１３の固定端１３ａを表示器９の側壁に接着固定する場合を示したが、遮光部材１３は第１表示手段２と光源部との間に配設されていればよく、基板ユニット４の他の部品に接着するようにしてもよい。
【００５７】
また、上述した実施形態では、遮光部材１３を樹脂により一体成形品した場合を示したが、遮光部材１３は一体成形品でなくともよく、たとえば、薄い板状の部材を金型で打ち抜いて製作してもよい。
【図面の簡単な説明】
【００５８】
【図１】本発明に係る遮光部材が適用される給湯システムのリモコンの一例を示す外観構成図である。
【図２】同給湯システムのリモコンにおける第１表示手段及び第２表示手段の内部構造の概要を示す断面図である。
【図３】本発明に係る遮光部材の外観構成を示す説明図であり、図３(a)は同遮光部材の斜視図を、図３(b)は同遮光部材の右側面図を示している。
【図４】同遮光部材を用いた遮光構造の一例を示す断面図である。
【符号の説明】
【００５９】
１ リモコン（電気機器）
２ 第１表示手段
３ 第２表示手段
４ 基板ユニット
５ 筐体ユニット
６ 化粧パネルユニット
６ａ 正面パネル
７，８ 操作スイッチ
９ 表示器
１０ 三色発光ダイオード
１１ 導光部材
１２ 遮光シール
１３ 遮光部材
１３ａ 固定端
１３ｂ 自由端
１３ｃ 折り曲げ部（位置決め部）
【図１】
0005651914.tif 000002
【図２】
0005651914.tif 000003
【図３】
0005651914.tif 000004
【図４】
0005651914.tif 000005